(57)【要約】【課題】ホーム基地局の現時点での設置位置を把握可能とする位置推定方法を提供する。【解決手段】位置推定方法は、自局のカバレッジ内にホーム基地局ＨｅＮＢが設置された無線基地局ｅＮＢが、所定のトリガに応じて、Immediate MDTを指示するためのMDT Configurationメッセージを無線端末ＵＥに送信するステップＳ１０４と、ホーム基地局ＨｅＮＢのカバレッジ内の無線端末ＵＥが、MDT Configurationメッセージに応じて、ホーム基地局ＨｅＮＢに対する測定を行うステップＳ１０５と、ホーム基地局ＨｅＮＢのカバレッジ内の無線端末ＵＥが、測定結果と、測定を行った際の位置を示す位置情報とを含むMeasurement Reportメッセージを無線基地局ｅＮＢに送信するステップＳ１０６と、無線基地局ｅＮＢの上位装置が、Measurement Reportメッセージに含まれる位置情報に応じて、ホーム基地局ＨｅＮＢの設置位置を推定するステップＳ１０８とを備える。【選択図】図６
2012080471.tif 000002
【特許請求の範囲】
【請求項１】
自局のカバレッジ内にホーム基地局が設置された無線基地局が、所定のトリガに応じて、即座報告型の測定を指示するための測定構成メッセージを無線端末に送信するステップと、
前記ホーム基地局のカバレッジ内の無線端末が、前記測定構成メッセージに応じて、前記ホーム基地局に対する測定を行うステップと、
前記ホーム基地局のカバレッジ内の無線端末が、測定結果と、測定を行った際の位置を示す位置情報とを含む測定報告メッセージを前記無線基地局に送信するステップと、
前記無線基地局又は前記無線基地局の上位装置が、前記測定報告メッセージに含まれる前記位置情報に応じて、前記ホーム基地局の設置位置を推定するステップと
を備える位置推定方法。
【請求項２】
前記所定のトリガは、無線端末からの緊急呼発信、周期的、又は前記ホーム基地局の設置時である請求項１に記載の位置推定方法。
【請求項３】
前記測定構成メッセージを送信するステップでは、前記ホーム基地局の識別子を前記測定構成メッセージに含めて送信し、
前記測定を行うステップでは、前記ホーム基地局のカバレッジ内の無線端末が、前記測定構成メッセージに含まれる前記識別子に応じて、前記ホーム基地局に対する測定を行う請求項１又は２に記載の位置推定方法。
【請求項４】
前記無線基地局の上位装置が、前記ホーム基地局がカバレッジ内に設置された無線基地局を特定するステップをさらに備え、
前記測定構成メッセージを送信するステップでは、前記特定するステップで特定された無線基地局が、前記所定のトリガに応じて、前記測定構成メッセージを無線端末に送信する請求項１〜３の何れか一項に記載の位置推定方法。
【請求項５】
自局のカバレッジ内にホーム基地局が設置された無線基地局であって、
所定のトリガに応じて、即座報告型の測定を指示するための測定構成メッセージを無線端末に送信するメッセージ送信部と、
前記ホーム基地局のカバレッジ内の無線端末から、前記ホーム基地局に対する測定の測定結果と、測定を行った際の位置を示す位置情報とを含む測定報告メッセージを受信するメッセージ受信部と
を備える無線基地局。
【請求項６】
前記メッセージ受信部が受信した前記測定報告メッセージに含まれる前記位置情報に応じて、前記ホーム基地局の設置位置を推定する位置推定部をさらに備える請求項５に記載の無線基地局。
【請求項７】
前記所定のトリガは、無線端末からの緊急呼発信、周期的、又は前記ホーム基地局の設置時である請求項５又は６に記載の無線基地局。
【請求項８】
前記メッセージ送信部は、前記ホーム基地局の識別子を前記測定構成メッセージに含めて送信する請求項５〜７の何れか一項に記載の無線基地局。
【発明の詳細な説明】
【技術分野】
【０００１】
本発明は、ホーム基地局の設置位置を推定するための位置推定方法及び無線基地局に関する。
【背景技術】
【０００２】
近年、半径数ｍから十数ｍ程度のカバレッジを有し、室内に設置可能な小型の無線基地局であるホーム基地局（ＨｅＮＢ又はＣＳＧセルと称されることがある）が注目されている。ホーム基地局を設置することで、半径数百ｍ程度のカバレッジを有するマクロ基地局のトラフィック分散等が実現できる。
【０００３】
一方、移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用して、無線環境を測定及び収集するドライブテストが行われている。
【０００４】
このような無線環境の測定及び収集は、無線基地局等のパラメータの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、無線環境の測定及び収集を自動化する技術であるＭＤＴ（Minimization of Drive Test）の仕様策定が進められている（非特許文献１及び２参照）。
【０００５】
ＭＤＴの一種として即座報告型のＭＤＴ（以下、適宜Immediate MDTと称する）がある。Immediate MDTは、コネクテッド状態の無線端末が、測定を行い、測定の結果（以下、適宜「測定結果」と称する）を位置情報と共にネットワークに報告するものである。コネクテッド状態とは、無線端末が通信実行中の状態である。
【先行技術文献】
【非特許文献】
【０００６】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【発明が解決しようとする課題】
【０００７】
ところで、無線基地局の設置位置はオペレータによって管理されており、緊急呼発信時等においては、無線基地局の設置位置の情報を用いて、緊急呼発信を行った無線端末の位置を特定するといったことが行われている。しかしながら、ホーム基地局は、ユーザによって移動されることがあるため、ホーム基地局の現時点での設置位置をオペレータが把握することが困難であるという問題があった。
【０００８】
そこで、本発明は、ホーム基地局の現時点での設置位置を把握可能とする位置推定方法及び無線基地局を提供することを目的とする。
【課題を解決するための手段】
【０００９】
上述した課題を解決するために、本発明は以下のような特徴を有している。まず、本発明に係る位置推定方法の特徴は、自局のカバレッジ内にホーム基地局（ホーム基地局ＨｅＮＢ）が設置された無線基地局（無線基地局ｅＮＢ）が、所定のトリガに応じて、即座報告型の測定を指示するための測定構成メッセージ（MDT Configurationメッセージ）を無線端末（無線端末ＵＥ）に送信するステップと、前記ホーム基地局のカバレッジ内の無線端末（無線端末ＵＥ）が、前記測定構成メッセージに応じて、前記ホーム基地局に対する測定を行うステップと、前記ホーム基地局のカバレッジ内の無線端末（無線端末ＵＥ）が、測定結果と、測定を行った際の位置を示す位置情報とを含む測定報告メッセージ（Measurement Reportメッセージ）を前記無線基地局に送信するステップと、前記無線基地局又は前記無線基地局の上位装置（移動管理装置ＭＭＥ又は保守監視装置ＯＡＭ）が、前記測定報告メッセージに含まれる前記位置情報に応じて、前記ホーム基地局の設置位置を推定するステップとを備えることを要旨とする。
【００１０】
このような特徴によれば、ホーム基地局のカバレッジ内の無線端末は、即座報告型の測定を指示するための測定構成メッセージに応じてホーム基地局に対する測定を行い、無線基地局又はその上位装置は、当該無線端末からの測定報告メッセージに含まれる位置情報に応じてホーム基地局の設置位置を推定する。これにより、ＭＤＴを利用して、ホーム基地局の現時点での設置位置を把握できる。
【００１１】
本発明に係る位置推定方法の他の特徴は、上記特徴に係る位置推定方法において、前記所定のトリガは、無線端末からの緊急呼発信、周期的、又は前記ホーム基地局の設置時であることを要旨とする。
【００１２】
本発明に係る位置推定方法の他の特徴は、上記特徴に係る位置推定方法において、前記測定構成メッセージを送信するステップでは、前記ホーム基地局の識別子を前記測定構成メッセージに含めて送信し、前記測定を行うステップでは、前記ホーム基地局のカバレッジ内の無線端末が、前記測定構成メッセージに含まれる前記識別子に応じて、前記ホーム基地局に対する測定を行うことを要旨とする。
【００１３】
本発明に係る位置推定方法の他の特徴は、上記特徴に係る位置推定方法において、前記無線基地局の上位装置が、前記ホーム基地局がカバレッジ内に設置された無線基地局を特定するステップをさらに備え、前記測定構成メッセージを送信するステップでは、前記特定するステップで特定された無線基地局が、前記所定のトリガに応じて、前記測定構成メッセージを無線端末に送信することを要旨とする。
【００１４】
本発明に係る無線基地局の特徴は、自局のカバレッジ内にホーム基地局（ホーム基地局ＨｅＮＢ）が設置された無線基地局（無線基地局ｅＮＢ）であって、所定のトリガに応じて、即座報告型の測定を指示するための測定構成メッセージ（MDT Configurationメッセージ）を無線端末（無線端末ＵＥ）に送信するメッセージ送信部（無線通信部１１０及び制御部１４０）と、前記ホーム基地局のカバレッジ内の無線端末から、前記ホーム基地局に対する測定の測定結果と、測定を行った際の位置を示す位置情報とを含む測定報告メッセージ（Measurement Reportメッセージ）を受信するメッセージ受信部（無線通信部１１０）とを備えることを要旨とする。
【００１５】
本発明に係る無線基地局の他の特徴は、上記特徴に係る無線基地局において、前記メッセージ受信部が受信した前記測定報告メッセージに含まれる前記位置情報に応じて、前記ホーム基地局の設置位置を推定する位置推定部（制御部１４０）をさらに備えることを要旨とする。
【００１６】
本発明に係る無線基地局の他の特徴は、上記特徴に係る無線基地局において、前記所定のトリガは、無線端末からの緊急呼発信、周期的、又は前記ホーム基地局の設置時であることを要旨とする。
【００１７】
本発明に係る無線基地局の他の特徴は、上記特徴に係る無線基地局において、前記メッセージ送信部は、前記ホーム基地局の識別子を前記測定構成メッセージに含めて送信することを要旨とする。
【発明の効果】
【００１８】
本発明によれば、ホーム基地局の現時点での設置位置を把握可能とする位置推定方法及び無線基地局を提供できる。
【図面の簡単な説明】
【００１９】
【図１】本発明の実施形態に係る移動通信システムの全体概略構成を示す図である。
【図２】本発明の実施形態に係る無線基地局の構成を示すブロック図である。
【図３】本発明の実施形態に係る無線端末の構成を示すブロック図である。
【図４】本発明の実施形態に係る位置推定方法の概要を説明するための図である。
【図５】本発明の実施形態に係る位置推定方法の概要を説明するための図である。
【図６】本発明の実施形態に係る位置推定方法の動作パターン１を示すシーケンス図である。
【図７】本発明の実施形態に係る位置推定方法の動作パターン２を示すシーケンス図である。
【図８】本発明の実施形態に係る位置推定方法の動作パターン３を示すシーケンス図である。
【図９】本発明の実施形態に係る位置推定方法の動作パターン４を示すシーケンス図である。
【図１０】本発明の実施形態に係る位置推定方法の動作パターン５を示すシーケンス図である。
【発明を実施するための形態】
【００２０】
図面を参照して、本発明の実施形態について、（１）移動通信システムの概要、（２）無線基地局の構成、（３）無線端末の構成、（４）位置推定方法、（５）実施形態の効果、（６）その他の実施形態の順に説明する。以下の実施形態における図面において、同一又は類似の部分には同一又は類似の符号を付す。
【００２１】
以下においては、３ＧＰＰで仕様が策定されているＬＴＥ（Long Term Evolution）に基づいて構成される移動通信システムを主として説明する。ただし、ＬＴＥに限らず、Ｗ−ＣＤＭＡ（Wideband Code Division Multiple Access）に基づいて構成される移動通信システム等についても本発明を適用できることに留意されたい。
【００２２】
（１）移動通信システムの概要
図１は、本実施形態に係る移動通信システム１の全体概略構成を示す図である。
【００２３】
図１に示すように、移動通信システム１は、無線端末ＵＥ（User Equipment）、複数の無線基地局ｅＮＢ（evolved Node-B）、保守監視装置ＯＡＭ（Operation and Maintenance）、複数の移動管理装置ＭＭＥ（Mobility Management Entity）／複数のゲートウェイ装置Ｓ−ＧＷ（Serving Gateway）、複数のホーム基地局ＨｅＮＢ（Home evolved Node-B）、ホーム基地局ゲートウェイＨｅＮＢ  ＧＷ（Home evolved Node-B Gateway）を有する。
【００２４】
無線基地局ｅＮＢ、ホーム基地局ＨｅＮＢ、及びホーム基地局ゲートウェイＨｅＮＢ  ＧＷは、Ｅ−ＵＴＲＡＮ（Evolved-UMTS Terrestrial Radio Access  Network）を構成する。各無線基地局ｅＮＢ及び各ホーム基地局ＨｅＮＢは、無線端末ＵＥにサービスを提供すべき通信エリアであるセルを管理する。セルの地理的範囲を「カバレッジ」と称する。
【００２５】
無線基地局ｅＮＢは、半径数百ｍ程度のカバレッジを有するマクロ基地局である。無線基地局ｅＮＢは、ＭＤＴをサポートする。
【００２６】
無線端末ＵＥは、ユーザが所持する無線通信装置であり、ユーザ装置とも称される。無線端末ＵＥは、ＭＤＴをサポートする。
【００２７】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ／Ｓ−ＧＷと通信可能である。また、各無線基地局ｅＮＢは、オペレータによって運営される保守監視装置ＯＡＭと通信可能である。
【００２８】
移動管理装置ＭＭＥ及び／又は保守監視装置ＯＡＭは、無線基地局ｅＮＢ及びホーム基地局ＨｅＮＢの上位装置であり、各無線基地局ｅＮＢの設置位置の情報及び各ホーム基地局ＨｅＮＢの設置位置の情報を管理する。以下において、移動管理装置ＭＭＥ、保守監視装置ＯＡＭを適宜「上位装置」と称する。
【００２９】
各ホーム基地局ＨｅＮＢは、Ｓ１インターフェース及びホーム基地局ゲートウェイＨｅＮＢ  ＧＷを介して、ＥＰＣ、具体的には、ＭＭＥ／Ｓ−ＧＷと通信可能である。ホーム基地局ＨｅＮＢは、半径数ｍから十数ｍ程度のカバレッジを有し、室内に設置可能な小型の無線基地局である。ホーム基地局ＨｅＮＢは、ユーザによって移動されることがある。
【００３０】
（２）無線基地局の構成
図２は、無線基地局ｅＮＢの構成を示すブロック図である。ここでは、無線基地局ｅＮＢのカバレッジ内にホーム基地局ＨｅＮＢが設置されているものとする。
【００３１】
図２に示すように、無線基地局ｅＮＢは、アンテナ１０１、無線通信部１１０、ネットワーク通信部１２０、記憶部１３０、及び制御部１４０を有する。
【００３２】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他の無線基地局ｅＮＢ等）との通信を行う。記憶部１３０は、例えばメモリを用いて構成され、無線基地局ｅＮＢの制御等に用いられる各種の情報を記憶する。制御部１４０は、例えばＣＰＵを用いて構成され、無線基地局ｅＮＢが備える各種の機能を制御する。
【００３３】
制御部１４０は、所定のトリガに応じて、Immediate MDTを指示するためのMDT Configurationメッセージ（測定構成メッセージ）を無線端末ＵＥに送信するよう無線通信部１１０を制御する。所定のトリガとは、無線端末ＵＥからの緊急呼発信、周期的、又はホーム基地局ＨｅＮＢの設置時である。無線通信部１１０は、MDT Configurationメッセージを送信する。本実施形態において、無線通信部１１０及び制御部１４０は、メッセージ送信部を構成する。
【００３４】
MDT Configurationメッセージは、各種の測定パラメータを含む。具体的には、MDT Configurationメッセージは、測定対象基地局（測定対象セル）の識別子と、測定すべき無線環境の種別を示すパラメータと、報告トリガの種別を示すパラメータとを含む。無線端末ＵＥは、測定対象基地局（測定対象セル）の識別子を含む参照信号を受信した場合に無線環境を測定する。測定すべき無線環境の種別は、例えば、参照信号受信電力（ＲＳＲＰ）及び参照信号受信品質（ＲＳＲＱ）、又は、パワーヘッドルーム（ＰＨ）である。報告トリガの種別は、例えば、定期的、サービングセルのＲＳＲＰ及び／又はＲＳＲＱが閾値よりも低下したこと、又は、無線リンク障害である。
【００３５】
本実施形態では、制御部１４０は、ホーム基地局ＨｅＮＢの識別子を、測定対象基地局（測定対象セル）の識別子として、MDT Configurationメッセージに含めて送信するよう無線通信部１１０を制御する。無線通信部１１０は、ホーム基地局ＨｅＮＢの識別子をMDT Configurationメッセージに含めて送信する。
【００３６】
MDT Configurationメッセージの送信後、無線通信部１１０は、無線環境の測定結果と、測定を行った際の位置を示す位置情報とを含むMeasurement Reportメッセージ（測定報告メッセージ）を無線端末ＵＥから受信する。本実施形態において、無線通信部１１０は、メッセージ受信部に相当する。ここで、無線通信部１１０は、ホーム基地局ＨｅＮＢのカバレッジ内の無線端末ＵＥから、ホーム基地局ＨｅＮＢに対する測定の測定結果と、測定を行った際の位置を示す位置情報とを含むMeasurement Reportメッセージ（測定報告メッセージ）を受信する。
【００３７】
制御部１４０は、無線通信部１１０が受信したMeasurement Reportメッセージに含まれる測定結果及び位置情報を取得し、当該測定結果及び位置情報にタイムスタンプを付加する。そして、制御部１４０は、測定結果、位置情報、タイムスタンプの組を上位装置に送信するようネットワーク通信部１２０を制御する。なお、制御部１４０は、これの情報を上位装置に送信するケースに限らず、当該情報の内容を解釈し、自局のパラメータの最適化に使用してもよい。
【００３８】
（３）無線端末の構成
図３は、無線端末ＵＥの構成を示すブロック図である。
【００３９】
図３に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００４０】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００４１】
制御部２６０は、コネクテッド状態において、測定パラメータを含むMDT Configurationメッセージを無線通信部２１０が受信すると、受信したMDT Configurationメッセージに含まれる測定パラメータを設定する。MDT Configurationメッセージは、測定対象基地局（測定対象セル）の識別子と、測定すべき無線環境の種別を示すパラメータと、報告トリガの種別を示すパラメータとを含む。
【００４２】
制御部２６０は、測定パラメータの設定後、測定対象基地局（測定対象セル）の識別子を含む参照信号を受信した場合に無線環境を測定する。本実施形態では、測定対象基地局（測定対象セル）の識別子は、ホーム基地局ＨｅＮＢの識別子である。
【００４３】
制御部２６０は、無線環境の測定を行うとともに、測定を行った際の位置を示す位置情報を生成する。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【００４４】
制御部２６０は、無線環境の測定後、Measurement Reportメッセージを無線基地局ｅＮＢに送信可能である場合に、報告トリガの種別を示すパラメータに従って、位置情報が付された測定結果を含むMeasurement Reportメッセージを無線基地局ｅＮＢに送信するよう無線通信部２１０を制御する。
【００４５】
（４）位置推定方法
次に、ホーム基地局ＨｅＮＢの設置位置を推定するための位置推定方法を説明する。図４及び図５は、本実施形態に係る位置推定方法の概要を説明するための図である。
【００４６】
図４に示すように、自局のカバレッジ内にホーム基地局ＨｅＮＢが設置された無線基地局ｅＮＢは、所定のトリガに応じて、Immediate MDTを指示するためのMDT Configurationメッセージを、自局のカバレッジ内の各無線端末ＵＥに送信する。ここで、所定のトリガとは、無線端末ＵＥからの緊急呼発信、周期的、又はホーム基地局ＨｅＮＢの設置時である。
【００４７】
無線端末ＵＥは、MDT Configurationメッセージに応じて無線環境の測定を行う。ここで、ホーム基地局ＨｅＮＢのカバレッジ内の無線端末ＵＥは、MDT Configurationメッセージに含まれる、ホーム基地局ＨｅＮＢの識別子に応じて、ホーム基地局ＨｅＮＢに対する測定を行う。そして、無線端末ＵＥは、測定結果と、測定を行った際の位置を示す位置情報とを含むMeasurement Reportメッセージを無線基地局ｅＮＢに送信する。
【００４８】
図５は、ホーム基地局ＨｅＮＢのカバレッジ内の無線端末ＵＥからのMeasurement Reportメッセージに含まれる位置情報が示す位置をプロットした図である。
【００４９】
図５に示すように、ホーム基地局ＨｅＮＢのカバレッジ内の無線端末ＵＥからのMeasurement Reportメッセージに含まれる位置情報が示す位置は、ホーム基地局ＨｅＮＢの設置位置周辺の位置であり、例えば各位置の中心の位置をホーム基地局ＨｅＮＢの設置位置と推定することができる。
【００５０】
このようにして、無線基地局ｅＮＢ又は上位装置は、Measurement Reportメッセージに含まれる位置情報に応じて、ホーム基地局ＨｅＮＢの現時点での設置位置を推定する。ホーム基地局ＨｅＮＢの現時点での設置位置の情報は、上位装置において管理され、緊急呼発信時等に使用される。
【００５１】
以下において、本実施形態に係る位置推定方法の動作パターン１〜５を説明する。
【００５２】
（４．１）動作パターン１
図６は、本実施形態に係る位置推定方法の動作パターン１を示すシーケンス図である。動作パターン１は、「緊急呼発信」をトリガとする動作パターンである。
【００５３】
図６に示すように、ステップＳ１０１において、ホーム基地局ＨｅＮＢは、ホーム基地局ＨｅＮＢに接続する無線端末ＵＥからの緊急呼発信を検知する。
【００５４】
ステップＳ１０２において、ホーム基地局ＨｅＮＢは、緊急呼発信を検知すると、緊急呼発信の発生を通知する緊急呼通知メッセージを上位装置（移動管理装置ＭＭＥ又は保守監視装置ＯＡＭ）に送信する。緊急呼通知メッセージは、ホーム基地局ＨｅＮＢの識別子と、ホーム基地局ＨｅＮＢに隣接する無線基地局ｅＮＢの識別子とを含む。ここで、ホーム基地局ＨｅＮＢに隣接する無線基地局ｅＮＢの識別子は、ホーム基地局ＨｅＮＢが管理する隣接基地局リスト（いわゆるネイバーリスト）から得ることができる。
【００５５】
ステップＳ１０３において、上位装置は、緊急呼通知メッセージを受信すると、緊急呼通知メッセージに含まれる無線基地局ｅＮＢの識別子から、ホーム基地局ＨｅＮＢをカバレッジ内に含む無線基地局ｅＮＢを特定する。そして、上位装置は、特定した無線基地局ｅＮＢに対し、ＭＤＴを要求するＭＤＴ要求メッセージを送信する。その際、上位装置は、緊急呼通知メッセージに含まれるホーム基地局ＨｅＮＢの識別子をＭＤＴ要求メッセージに含めて送信する。
【００５６】
ステップＳ１０４において、無線基地局ｅＮＢは、ＭＤＴ要求メッセージを受信すると、自局に接続する各無線端末ＵＥに対し、MDT Configurationメッセージを送信する。その際、無線基地局ｅＮＢは、ＭＤＴ要求メッセージに含まれるホーム基地局ＨｅＮＢの識別子をMDT Configurationメッセージに含めて送信する。
【００５７】
ステップＳ１０５において、各無線端末ＵＥは、MDT Configurationメッセージを受信すると、MDT Configurationメッセージに含まれるホーム基地局ＨｅＮＢの識別子に応じて、ホーム基地局ＨｅＮＢに対する測定を行う。具体的には、各無線端末ＵＥは、ホーム基地局ＨｅＮＢの識別子を含む参照信号を受信した場合に無線環境を測定する。また、各無線端末ＵＥは、無線環境を測定した際の位置を示す位置情報を生成する。
【００５８】
ステップＳ１０６において、各無線端末ＵＥは、ホーム基地局ＨｅＮＢの識別子と、無線環境の測定結果と、位置情報とを含むMeasurement Reportメッセージを無線基地局ｅＮＢに送信する。
【００５９】
ステップＳ１０７において、無線基地局ｅＮＢは、Measurement Reportメッセージを受信すると、Measurement Reportメッセージに含まれるホーム基地局ＨｅＮＢの識別子と、無線環境の測定結果と、位置情報とに対してタイムスタンプを付加した結果をＭＤＴデータとして上位装置に送信する。
【００６０】
ステップＳ１０８において、上位装置は、ＭＤＴデータを受信すると、ＭＤＴデータに含まれる位置情報（すなわちMeasurement Reportメッセージに含まれる位置情報）に応じて、ホーム基地局ＨｅＮＢの現時点での設置位置を推定する。ホーム基地局ＨｅＮＢの現時点での設置位置の情報は、上位装置において管理され、緊急呼発信時等に使用される。
【００６１】
（４．２）動作パターン２
図７は、本実施形態に係る位置推定方法の動作パターン２を示すシーケンス図である。動作パターン２は、「周期的」をトリガとする動作パターンである。
【００６２】
図７に示すように、ステップＳ２０１において、上位装置は、所定の時間間隔に従って、無線基地局ｅＮＢに対し、ＭＤＴを要求するＭＤＴ要求メッセージを送信する。その際、上位装置は、ホーム基地局ＨｅＮＢの識別子をＭＤＴ要求メッセージに含めて送信する。
【００６３】
ステップＳ２０２において、無線基地局ｅＮＢは、ＭＤＴ要求メッセージを受信すると、自局に接続する各無線端末ＵＥに対し、MDT Configurationメッセージを送信する。その際、無線基地局ｅＮＢは、ＭＤＴ要求メッセージに含まれるホーム基地局ＨｅＮＢの識別子をMDT Configurationメッセージに含めて送信する。
【００６４】
ステップＳ２０３において、各無線端末ＵＥは、MDT Configurationメッセージを受信すると、MDT Configurationメッセージに含まれるホーム基地局ＨｅＮＢの識別子に応じて、ホーム基地局ＨｅＮＢに対する測定を行う。具体的には、各無線端末ＵＥは、ホーム基地局ＨｅＮＢの識別子を含む参照信号を受信した場合に無線環境を測定する。また、各無線端末ＵＥは、無線環境を測定した際の位置を示す位置情報を生成する。
【００６５】
ステップＳ２０４において、各無線端末ＵＥは、ホーム基地局ＨｅＮＢの識別子と、無線環境の測定結果と、位置情報とを含むMeasurement Reportメッセージを無線基地局ｅＮＢに送信する。
【００６６】
ステップＳ２０５において、無線基地局ｅＮＢは、Measurement Reportメッセージを受信すると、Measurement Reportメッセージに含まれるホーム基地局ＨｅＮＢの識別子と、無線環境の測定結果と、位置情報とに対してタイムスタンプを付加した結果をＭＤＴデータとして上位装置に送信する。
【００６７】
ステップＳ２０６において、上位装置は、ＭＤＴデータを受信すると、ＭＤＴデータに含まれる位置情報（すなわちMeasurement Reportメッセージに含まれる位置情報）に応じて、ホーム基地局ＨｅＮＢの現時点での設置位置を推定する。ホーム基地局ＨｅＮＢの現時点での設置位置の情報は、上位装置において管理され、緊急呼発信時等に使用される。
【００６８】
（４．３）動作パターン３
図８は、本実施形態に係る位置推定方法の動作パターン３を示すシーケンス図である。動作パターン３は、「ホーム基地局ＨｅＮＢの設置時」をトリガとする動作パターンである。
【００６９】
図８に示すように、ステップＳ３０１において、ホーム基地局ＨｅＮＢは、初期設置後の電源投入時において、自局の設置を通知する設置通知メッセージを上位装置（移動管理装置ＭＭＥ又は保守監視装置ＯＡＭ）に送信する。設置通知メッセージは、ホーム基地局ＨｅＮＢの識別子と、ホーム基地局ＨｅＮＢに隣接する無線基地局ｅＮＢの識別子とを含む。ここで、ホーム基地局ＨｅＮＢに隣接する無線基地局ｅＮＢの識別子は、ホーム基地局ＨｅＮＢに設定された隣接基地局リスト（いわゆるネイバーリスト）から得ることができる。
【００７０】
ステップＳ３０２において、上位装置は、緊急呼通知メッセージを受信すると、緊急呼通知メッセージに含まれる無線基地局ｅＮＢの識別子から、ホーム基地局ＨｅＮＢをカバレッジ内に含む無線基地局ｅＮＢを特定する。そして、上位装置は、特定した無線基地局ｅＮＢに対し、ＭＤＴを要求するＭＤＴ要求メッセージを送信する。その際、上位装置は、緊急呼通知メッセージに含まれるホーム基地局ＨｅＮＢの識別子をＭＤＴ要求メッセージに含めて送信する。
【００７１】
ステップＳ３０３において、無線基地局ｅＮＢは、ＭＤＴ要求メッセージを受信すると、自局に接続する各無線端末ＵＥに対し、MDT Configurationメッセージを送信する。その際、無線基地局ｅＮＢは、ＭＤＴ要求メッセージに含まれるホーム基地局ＨｅＮＢの識別子をMDT Configurationメッセージに含めて送信する。
【００７２】
ステップＳ３０４において、各無線端末ＵＥは、MDT Configurationメッセージを受信すると、MDT Configurationメッセージに含まれるホーム基地局ＨｅＮＢの識別子に応じて、ホーム基地局ＨｅＮＢに対する測定を行う。具体的には、各無線端末ＵＥは、ホーム基地局ＨｅＮＢの識別子を含む参照信号を受信した場合に無線環境を測定する。また、各無線端末ＵＥは、無線環境を測定した際の位置を示す位置情報を生成する。
【００７３】
ステップＳ３０５において、各無線端末ＵＥは、ホーム基地局ＨｅＮＢの識別子と、無線環境の測定結果と、位置情報とを含むMeasurement Reportメッセージを無線基地局ｅＮＢに送信する。
【００７４】
ステップＳ３０６において、無線基地局ｅＮＢは、Measurement Reportメッセージを受信すると、Measurement Reportメッセージに含まれるホーム基地局ＨｅＮＢの識別子と、無線環境の測定結果と、位置情報とに対してタイムスタンプを付加した結果をＭＤＴデータとして上位装置に送信する。
【００７５】
ステップＳ３０７において、上位装置は、ＭＤＴデータを受信すると、ＭＤＴデータに含まれる位置情報（すなわちMeasurement Reportメッセージに含まれる位置情報）に応じて、ホーム基地局ＨｅＮＢの現時点での設置位置を推定する。ホーム基地局ＨｅＮＢの現時点での設置位置の情報は、上位装置において管理され、緊急呼発信時等に使用される。
【００７６】
（４．４）動作パターン４
図９は、本実施形態に係る位置推定方法の動作パターン４を示すシーケンス図である。動作パターン４は、ホーム基地局ＨｅＮＢの設置位置を無線基地局ｅＮＢが推定する動作パターンである。なお、「緊急呼発信」をトリガとするケースを説明するが、「周期的」又は「ホーム基地局ＨｅＮＢの設置時」をトリガとしてもよい。
【００７７】
図９に示すように、ステップＳ４０１において、ホーム基地局ＨｅＮＢは、ホーム基地局ＨｅＮＢに接続する無線端末ＵＥからの緊急呼発信を検知する。
【００７８】
ステップＳ４０２において、ホーム基地局ＨｅＮＢは、緊急呼発信を検知すると、緊急呼発信の発生を通知する緊急呼通知メッセージを上位装置（移動管理装置ＭＭＥ又は保守監視装置ＯＡＭ）に送信する。緊急呼通知メッセージは、ホーム基地局ＨｅＮＢの識別子と、ホーム基地局ＨｅＮＢに隣接する無線基地局ｅＮＢの識別子とを含む。ここで、ホーム基地局ＨｅＮＢに隣接する無線基地局ｅＮＢの識別子は、ホーム基地局ＨｅＮＢが管理する隣接基地局リスト（いわゆるネイバーリスト）から得ることができる。
【００７９】
ステップＳ４０３において、上位装置は、緊急呼通知メッセージを受信すると、緊急呼通知メッセージに含まれる無線基地局ｅＮＢの識別子から、ホーム基地局ＨｅＮＢをカバレッジ内に含む無線基地局ｅＮＢを特定する。そして、上位装置は、特定した無線基地局ｅＮＢに対し、ＭＤＴを要求するＭＤＴ要求メッセージを送信する。その際、上位装置は、緊急呼通知メッセージに含まれるホーム基地局ＨｅＮＢの識別子をＭＤＴ要求メッセージに含めて送信する。
【００８０】
ステップＳ４０４において、無線基地局ｅＮＢは、ＭＤＴ要求メッセージを受信すると、自局に接続する各無線端末ＵＥに対し、MDT Configurationメッセージを送信する。その際、無線基地局ｅＮＢは、ＭＤＴ要求メッセージに含まれるホーム基地局ＨｅＮＢの識別子をMDT Configurationメッセージに含めて送信する。
【００８１】
ステップＳ４０５において、各無線端末ＵＥは、MDT Configurationメッセージを受信すると、MDT Configurationメッセージに含まれるホーム基地局ＨｅＮＢの識別子に応じて、ホーム基地局ＨｅＮＢに対する測定を行う。具体的には、各無線端末ＵＥは、ホーム基地局ＨｅＮＢの識別子を含む参照信号を受信した場合に無線環境を測定する。また、各無線端末ＵＥは、無線環境を測定した際の位置を示す位置情報を生成する。
【００８２】
ステップＳ４０６において、各無線端末ＵＥは、ホーム基地局ＨｅＮＢの識別子と、無線環境の測定結果と、位置情報とを含むMeasurement Reportメッセージを無線基地局ｅＮＢに送信する。
【００８３】
ステップＳ４０７において、無線基地局ｅＮＢは、Measurement Reportメッセージを受信すると、Measurement Reportメッセージに含まれる位置情報に応じて、ホーム基地局ＨｅＮＢの現時点での設置位置を推定する。本動作パターンにおいて、無線基地局ｅＮＢの制御部１４０は、位置推定部に相当する。
【００８４】
ステップＳ４０８において、無線基地局ｅＮＢは、ホーム基地局ＨｅＮＢの現時点での設置位置を推定すると、推定した設置位置を示す情報を含む位置通知メッセージを上位装置に送信する。ホーム基地局ＨｅＮＢの現時点での設置位置の情報は、上位装置において管理され、緊急呼発信時等に使用される。
【００８５】
（４．５）動作パターン５
図１０は、本実施形態に係る位置推定方法の動作パターン５を示すシーケンス図である。動作パターン５は、ホーム基地局ＨｅＮＢと無線基地局ｅＮＢとの間にＸ２インタフェースが存在するものとする。なお、「緊急呼発信」をトリガとするケースを説明するが、「周期的」又は「ホーム基地局ＨｅＮＢの設置時」をトリガとしてもよい。
【００８６】
図１０に示すように、ステップＳ５０１において、ホーム基地局ＨｅＮＢは、ホーム基地局ＨｅＮＢに接続する無線端末ＵＥからの緊急呼発信を検知する。
【００８７】
ステップＳ５０２において、ホーム基地局ＨｅＮＢは、緊急呼発信を検知すると、緊急呼発信の発生を通知する緊急呼通知メッセージを、Ｘ２インタフェースを介して、ホーム基地局ＨｅＮＢに隣接する無線基地局ｅＮＢに送信する。緊急呼通知メッセージは、ホーム基地局ＨｅＮＢの識別子を含む。
【００８８】
ステップＳ５０３において、無線基地局ｅＮＢは、緊急呼通知メッセージを受信すると、自局に接続する各無線端末ＵＥに対し、MDT Configurationメッセージを送信する。その際、無線基地局ｅＮＢは、緊急呼通知メッセージに含まれるホーム基地局ＨｅＮＢの識別子をMDT Configurationメッセージに含めて送信する。
【００８９】
ステップＳ５０４において、各無線端末ＵＥは、MDT Configurationメッセージを受信すると、MDT Configurationメッセージに含まれるホーム基地局ＨｅＮＢの識別子に応じて、ホーム基地局ＨｅＮＢに対する測定を行う。具体的には、各無線端末ＵＥは、ホーム基地局ＨｅＮＢの識別子を含む参照信号を受信した場合に無線環境を測定する。また、各無線端末ＵＥは、無線環境を測定した際の位置を示す位置情報を生成する。
【００９０】
ステップＳ５０５において、各無線端末ＵＥは、ホーム基地局ＨｅＮＢの識別子と、無線環境の測定結果と、位置情報とを含むMeasurement Reportメッセージを無線基地局ｅＮＢに送信する。
【００９１】
ステップＳ５０６において、無線基地局ｅＮＢは、Measurement Reportメッセージを受信すると、Measurement Reportメッセージに含まれる位置情報に応じて、ホーム基地局ＨｅＮＢの現時点での設置位置を推定する。本動作パターンにおいて、無線基地局ｅＮＢの制御部１４０は、位置推定部に相当する。
【００９２】
ステップＳ５０７において、無線基地局ｅＮＢは、ホーム基地局ＨｅＮＢの現時点での設置位置を推定すると、推定した設置位置を示す情報を含む位置通知メッセージを上位装置に送信する。ホーム基地局ＨｅＮＢの現時点での設置位置の情報は、上位装置において管理され、緊急呼発信時等に使用される。
【００９３】
（５）実施形態の効果
以上説明したように、本実施形態によれば、ホーム基地局ＨｅＮＢのカバレッジ内の無線端末ＵＥは、Immediate MDTを指示するためのMDT Configurationメッセージに応じてホーム基地局ＨｅＮＢに対する測定を行い、無線基地局ｅＮＢ又はその上位装置は、当該無線端末ＵＥからのMeasurement Reportメッセージに含まれる位置情報に応じてホーム基地局ＨｅＮＢの設置位置を推定する。これにより、オペレータは、ＭＤＴ（具体的には、Immediate MDT）を利用して、ホーム基地局ＨｅＮＢの現時点での設置位置を把握できる。
【００９４】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９５】
例えば、上述した動作パターン１〜５は、別個独立して実施するケースに限らず、動作パターン１〜５を併用して実施してもよい。
【００９６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９７】
ＨｅＮＢ…ホーム基地局、ＨｅＮＢ  ＧＷ…ホーム基地局ゲートウェイ、ＭＭＥ…移動管理装置、ＯＡＭ…保守監視装置、Ｓ−ＧＷ…ゲートウェイ装置、ＵＥ…無線端末、ｅＮＢ…無線基地局、１…移動通信システム、１０１…アンテナ、１１０…無線通信部、１２０…ネットワーク通信部、１３０…記憶部、１４０…制御部、２０１…アンテナ、２１０…無線通信部、２２０…ユーザインターフェイス部、２３０…ＧＰＳ受信機、２４０…バッテリ、２５０…記憶部、２６０…制御部
【図１】
2012080471.tif 000003
【図２】
2012080471.tif 000004
【図３】
2012080471.tif 000005
【図４】
2012080471.tif 000006
【図５】
2012080471.tif 000007
【図６】
2012080471.tif 000008
【図７】
2012080471.tif 000009
【図８】
2012080471.tif 000010
【図９】
2012080471.tif 000011
【図１０】
2012080471.tif 000012